(57)【要約】【課題】遮音性を向上させることができるドアを提供する。【解決手段】ドア１のドア本体１０は、構造物２の開口部２０を開閉可能であり、第１ドア表面１４、第２ドア表面１５、ドア上面１１およびドア下面１２をもつ。ドア本体１０のドア上面１１側には、ドア本体１０の閉鎖時にドア上面１１よりも上方の隙間９１を低減または閉鎖させる上側隙間閉鎖手段４が設けられている。ドア本体１０のドア下面１２側には、ドア本体１０の閉鎖時にドア下面１２よりも下方の隙間９２を低減または閉鎖させる下側隙間閉鎖手段５が設けられている。【選択図】図１
2007314993.tif 000002
【特許請求の範囲】
【請求項１】
構造物の開口部を開閉可能であり、第１ドア表面、前記第１ドア表面に背向する第２ドア表面、ドア上面およびドア下面をもつドア本体と、
前記ドア本体の前記ドア上面側に設けられ、前記ドア本体の閉鎖時に前記ドア上面よりも上方の隙間を低減または閉鎖させる上側隙間閉鎖手段と、
前記ドア本体の前記ドア下面側に設けられ、前記ドア本体の閉鎖時に前記ドア下面よりも下方の隙間を低減または閉鎖させる下側隙間閉鎖手段とを具備することを特徴とするドア。
【請求項２】
請求項１において、前記上側隙間閉鎖手段は、前記ドア上面よりも上方に移動可能に設けられた上側遮音部材と、前記上側遮音部材を前記ドア上面よりも上方に移動させる上側作動部とをもつことを特徴とするドア。
【請求項３】
請求項２において、前記ドア本体の厚み方向に沿った断面で、前記ドア上面において前記上側遮音部材よりも前記第１ドア表面側に形成された第１上面開口と、前記ドア上面において前記上側遮音部材よりも前記第２ドア表面側に形成された第２上面開口と、前記第１上面開口および前記第２上面開口を連通させることにより、前記第１ドア表面が対面する第１空間と前記第２ドア表面が対面する第２空間とを連通させる上側連通路とをもつことを特徴とするドア。
【請求項４】
請求項２において、前記ドア本体の厚み方向に沿った断面で、前記第１ドア表面および前記第２ドア表面のうちのいずれか一方において形成された表面開口と、前記ドア上面において前記上側遮音部材よりも前記第１ドア表面側または前記第２ドア表面側に形成された上面開口と、前記表面開口および前記上面開口を連通させることにより、前記第１ドア表面が対面する第１空間と前記第２ドア表面が対面する第２空間とを連通させる上側連通路とをもつことを特徴とするドア。
【請求項５】
請求項１〜４のうちのいずれか一項において、前記下側隙間閉鎖手段は、前記ドア下面よりも下方に移動可能に設けられた下側遮音部材と、前記下側遮音部材を前記ドア下面よりも下方に移動させる下側作動部とをもつことを特徴とするドア。
【請求項６】
請求項５において、前記ドア本体の厚み方向に沿った断面で、前記ドア下面において前記下側遮音部材よりも前記第１ドア表面側に形成された第１下面開口と、前記ドア下面において前記下側遮音部材よりも前記第２ドア表面側に形成された第２下面開口と、前記第１下面開口および前記第２下面開口を連通させることにより、前記第１ドア表面が対面する第１空間と前記第２ドア表面が対面する第２空間とを連通させる下側連通路とをもつことを特徴とするドア。
【請求項７】
請求項５において、前記ドア本体の厚み方向に沿った断面で、前記第１ドア表面および前記第２ドア表面のうちのいずれか一方において形成された表面開口と、前記ドア下面において前記下側遮音部材よりも前記第１ドア表面側または前記第２ドア表面側に形成された下面開口と、前記表面開口および前記下面開口を連通させることにより、前記第１ドア表面が対面する第１空間と前記第２ドア表面が対面する第２空間とを連通させる下側連通路とをもつことを特徴とするドア。
【請求項８】
請求項６または７において、前記下側連通路および前記上側連通路を前記ドア本体の内部において互いに連通させる内部連通路が前記ドア本体の内部に設けられていることを特徴とするドア。
【請求項９】
請求項１において、前記上側隙間閉鎖手段および前記下側隙間閉鎖手段のうちの少なくとも一方は、前記ドア本体の閉鎖時に前記ドア上面の上方または前記ドア下面の下方の隙間を低減または閉鎖させ得る遮音部材と、前記ドア本体の閉鎖時に前記隙間を低減または閉鎖させる方向に前記遮音部材を移動させる作動部とをもち、
前記作動部は、前記ドアが開放されるに伴い前記隙間を形成する方向に前記遮音部材を付勢するバネ部材と、前記ドアが閉鎖されるに伴い前記隙間を低減または閉鎖させる方向に前記遮音部材を作動させる作動体とを備えていることを特徴とするドア。
【請求項１０】
請求項１〜９のうちのいずれか一項において、構造物の開口部に配置されるドア枠が設けられており、前記ドア枠は、前記ドア上面に対向するドア上枠と、前記ドア下面に対向するドア下枠と、前記ドア側面に対向するドア側枠とを備えており、前記ドア側枠にシール材料を基材とするシール部材が設けられており、前記ドア上枠および前記ドア下枠にシール部材が設けられていないことを特徴とするドア。
【発明の詳細な説明】
【技術分野】
【０００１】
本発明は遮音性を高めたドアに関する。
【背景技術】
【０００２】
特許文献１には、床段差のない出入口に好適に用いられるものであって、ドアのドア下面と床面との間の隙間を無くすべく、可動式の遮音部材をドアのドア下面側に取り付けたドアが記載されている。このものによれば、ドア閉鎖時には、可動式の遮音部材を下降させてドアのドア下面と床面との間の隙間を閉鎖することにしている。
【０００３】
また、ホルムアルデヒド等の有害物質による室内におけるシックハウス症候群に対応するため建築基準法（２００３年７月）が改正され、換気設備による室内の換気性を確保すること、あるいは、ドアにおいて所定の有効開口面積を確保すること（非特許文献１参照）が要請されている。
【特許文献１】特開平８−２８４５４６号公報
【非特許文献１】国土交通省住宅局建築指導課、国土交通省住宅局住宅生産課、国土交通省国土技術政策総合研究所、独立行政法人建築研究所、日本建築行政会議、シックハウス対策マニュアル編集委員会、「改正建築基準法に対応した建築物のシックハウス対策マニュアル−建築基準法・住宅性能表示制度の解説及び設計施工マニュアル−」、第１版、工学図書株式会社、平成１５年５月１日、ｐ．２１１
【発明の開示】
【発明が解決しようとする課題】
【０００４】
上記した特許文献１に係るドアによれば、ドア下面側に可動式の遮音部材を取り付けており、ドア閉鎖時に、可動式の遮音部材を下降させ、ドア下面と床面との間の隙間を閉鎖する。このためドア閉鎖時において、ドア下面と床面との間における遮音性を高めることができる。更に、ドア下面と床面との間における遮光性を高めることができる。産業界では、更に遮音性を高めることが要請されている。
【０００５】
本発明は上記した実情に鑑みてなされたものであり、遮音性を向上させることができるドアを提供することを課題とする。
【課題を解決するための手段】
【０００６】
（１）様相１に係るドアは、構造物の開口部を開閉可能であり、第１ドア表面、前記第１ドア表面に背向する第２ドア表面、ドア上面およびドア下面をもつドア本体と、前記ドア本体の前記ドア上面側に設けられ、前記ドア本体の閉鎖時に前記ドア上面よりも上方の隙間を低減または閉鎖させる上側隙間閉鎖手段と、前記ドア本体の前記ドア下面側に設けられ、前記ドア本体の閉鎖時に前記ドア下面よりも下方の隙間を低減または閉鎖させる下側隙間閉鎖手段とを具備することを特徴とする。
【０００７】
上側隙間閉鎖手段は、ドア本体の閉鎖時において、ドア上面よりも上方の隙間を低減または閉鎖させる。下側隙間閉鎖手段は、ドア本体の閉鎖時において、ドア下面よりも下方の隙間を低減または閉鎖させる。これによりドアの閉鎖時において遮音性が向上する。
【０００８】
更に、ドア上面側に上側隙間閉鎖手段を設けることで、ドア本体の上部の強度が高められ、ドア本体上部の反りが低減される。ドア下面側に下側隙間閉鎖手段を設けることで、ドア本体の下部の強度が高められ、ドア本体下部の反りが低減される。
【０００９】
（２）様相２に係るドアは、様相１において、前記ドア本体の厚み方向に沿った断面で、前記ドア上面において前記上側隙間閉鎖手段よりも前記第１ドア表面側に形成された第１上面開口と、前記ドア上面において前記上側隙間閉鎖手段よりも前記第２ドア表面側に形成された第２上面開口と、前記第１上面開口および前記第２上面開口を連通させることにより、前記第１ドア表面が対面する第１空間と前記第２ドア表面が対面する第２空間とを連通させる上側連通路とをもつことを特徴とする。
【００１０】
ドアの閉鎖時において遮音性が向上する。更に、ドアの閉鎖時においても、第１上面開口、第２上面開口および上側連通路により第１空間と第２空間とを連通させる通気性が確保される。
【００１１】
（３）様相３に係るドアは、様相１において、前記ドア本体の厚み方向に沿った断面で、前記第１ドア表面および前記第２ドア表面のうちのいずれか一方において形成された表面開口と、前記ドア上面において前記上側隙間閉鎖手段よりも前記第１ドア表面側または前記第２ドア表面側に形成された上面開口と、前記表面開口および前記上面開口を連通させることにより、前記第１ドア表面が対面する第１空間と前記第２ドア表面が対面する第２空間とを連通させる上側連通路とをもつことを特徴とする。
【００１２】
ドアの閉鎖時において遮音性が向上する。更に、ドアの閉鎖時においても、上面開口、表面開口および上側連通路により第１空間と第２空間とを連通させる通気性が確保される。
【００１３】
（４）様相４に係るドアは、様相１において、前記ドア本体の厚み方向に沿った断面で、前記ドア下面において前記下側隙間閉鎖手段よりも前記第１ドア表面側に形成された第１下面開口と、前記ドア下面において前記下側隙間閉鎖手段よりも前記第２ドア表面側に形成された第２下面開口と、前記第１下面開口および前記第２下面開口を連通させることにより、前記第１ドア表面が対面する第１空間と前記第２ドア表面が対面する第２空間とを連通させる下側連通路とをもつことを特徴とする。
【００１４】
ドアの閉鎖時において遮音性が向上する。更に、ドアの閉鎖時においても、第１下面開口、第２下面開口および下側連通路により第１空間と第２空間とを連通させる通気性が確保される。
【００１５】
（５）様相５に係るドアは、様相１において、前記ドア本体の厚み方向に沿った断面で、前記第１ドア表面および前記第２ドア表面のうちのいずれか一方において形成された表面開口と、前記ドア下面において前記下側隙間閉鎖手段よりも前記第１ドア表面側または前記第２ドア表面側に形成された下面開口と、前記表面開口および前記下面開口を連通させることにより、前記第１ドア表面が対面する第１空間と前記第２ドア表面が対面する第２空間とを連通させる下側連通路とをもつことを特徴とする。
【００１６】
ドアの閉鎖時において遮音性が向上する。更に、ドアの閉鎖時においても、下面開口、表面開口および下側連通路により第１空間と第２空間とを連通させる通気性が確保される。
【発明の効果】
【００１７】
各様相によれば、ドア本体の閉鎖時において、ドア上面よりも上方の隙間と、ドア下面よりも下方の隙間との双方を低減または閉鎖させる。このためドア本体の閉鎖時において遮音性が向上する。更に、ドア本体のドア上面側に上側隙間閉鎖手段を設けることで、ドア本体の上部の強度が高められ、ドア本体上部の反りが低減される。また、ドア本体のドア下面側に下側隙間閉鎖手段を設けることで、ドア本体の下部の強度が高められ、ドア本体下部の反りが低減される。よって、ドアを開放または閉鎖するにあたり、ドア本体の下部のガタを抑制できる他に、ドア本体の上部のガタツキを抑制できる。
【００１８】
更に様相２〜様相５によれば、ドア本体の閉鎖時において、遮音性を向上させつつ、第１空間と第２空間とを連通させる通気性が確保される。
【発明を実施するための最良の形態】
【００１９】
構造物としては、家屋やビル等の建築物、車両等の移動体を例示できる。開口部は、人が出入りする開口部（出入口）が挙げられるが、人が出入りしない換気用の開口部でも良い。
【００２０】
上側隙間閉鎖手段としては、ドア上面よりも上方に移動可能に設けられた上側遮音部材と、上側遮音部材をドア上面よりも上方に移動させる上側作動部とをもつ形態が例示される。この場合、上側遮音部材を上側作動部によって上方に移動させれば、ドア本体のドア上面よりも上方の隙間を低減または閉鎖させることができる。
【００２１】
本発明によれば、ドア本体の厚み方向に沿った断面で、ドア上面において上側遮音部材よりも第１ドア表面側に形成された第１上面開口と、ドア上面において上側遮音部材よりも第２ドア表面側に形成された第２上面開口と、第１上面開口および第２上面開口を連通させることにより、第１ドア表面が対面する第１空間と第２ドア表面が対面する第２空間とを連通させる上側連通路とをもつ形態が例示される。この場合、ドアが閉鎖されるとき、ドアは第１空間と第２空間とを仕切る。この場合、ドア上面において第１上面開口および第２上面開口が形成されているため、通常の状態では、使用者は、第１上面開口および第２上面開口の存在を視認することができない。故に、使用者に通気孔の存在を認識させずとも、第１空間と第２空間とを連通させる通気性が確保される。
【００２２】
また、ドア本体の厚み方向に沿った断面で、第１ドア表面および第２ドア表面のうちのいずれか一方において形成された表面開口と、ドア上面において上側遮音部材よりも第１ドア表面側または第２ドア表面側に形成された上面開口と、表面開口および上面開口を連通させることにより、第１ドア表面が対面する第１空間と第２ドア表面が対面する第２空間とを連通させる上側連通路とをもつ形態が例示される。ドアが閉鎖されるとき、ドアは第１空間と第２空間とを仕切る。この場合、表面開口、上面開口および上側連通路により、第１空間と第２空間とを連通させる通気性が確保される。
【００２３】
下側隙間閉鎖手段としては、ドア下面よりも下方に移動可能に設けられた下側遮音部材と、下側遮音部材をドア下面よりも下方に移動させる下側作動部とをもつ形態が例示される。この場合、下側遮音部材を下側作動部によって下方に移動させれば、ドア本体のドア下面よりも下方の隙間を低減または閉鎖させることができる。
【００２４】
本発明によれば、ドア本体の厚み方向に沿った断面で、ドア下面において下側遮音部材よりも第１ドア表面側に形成された第１下面開口と、ドア下面において下側遮音部材よりも第２ドア表面側に形成された第２下面開口と、第１下面開口および第２下面開口を連通させることにより、第１ドア表面が対面する第１空間と第２ドア表面が対面する第２空間とを連通させる下側連通路とをもつ形態が例示される。この場合、ドア下面において第１下面開口および第２下面開口が形成されているため、通常の状態では、使用者は、第１下面開口および第２下面開口の存在を視認することができない。故に、使用者に通気孔の存在を認識させずとも、第１空間と第２空間とを連通させる通気性が確保される。
【００２５】
また、ドア本体の厚み方向に沿った断面で、第１ドア表面および第２ドア表面のうちのいずれか一方において形成された表面開口と、ドア下面において下側遮音部材よりも第１ドア表面側または第２ドア表面側に形成された下面開口と、表面開口および下面開口を連通させることにより、第１ドア表面が対面する第１空間と第２ドア表面が対面する第２空間とを連通させる下側連通路とをもつ形態が例示される。この場合、ドアが閉鎖されるとき、ドアは第１空間と第２空間とを仕切る。この場合、表面開口、下面開口および下側連通路により、第１空間と第２空間とを連通させる通気性が確保される。
【００２６】
下側連通路および上側連通路をドア本体の内部において互いに連通させる内部連通路がドア本体の内部に設けられている形態が例示される。この場合、第１空間と第２空間とを連通させる通気性が確保され易い。更に、第１空間と第２空間との間に大きな温度差または湿度差がかなり存在するときには、第１ドア表面および第２ドア表面における温度差または湿度差に起因して、ドア本体に反りが発生するおそれがある。このような場合であっても、内部連通路の雰囲気は、つまり、ドア本体の内部の雰囲気は、第１空間と第２空間との中間雰囲気となり易く、ドア本体の反りが低減される利点が得られる。
【００２７】
本発明によれば、上側隙間閉鎖手段および下側隙間閉鎖手段のうちの少なくとも一方は、ドア本体の閉鎖時にドア上面の上方またはドア下面の下方の隙間を低減または閉鎖させ得る遮音部材と、ドア本体の閉鎖時に前記隙間を低減または閉鎖させる方向に遮音部材を移動させる作動部とをもち、作動部は、ドアが開放されるに伴い前記隙間を形成する方向に遮音部材を付勢するバネ部材と、ドアが閉鎖されるに伴い前記隙間を低減または閉鎖させる方向に遮音部材を作動させる作動体とを備えている形態が例示される。遮音部材としては例えばゴムや樹脂等の有機高分子系材料を基材として形成できる。
【００２８】
本発明によれば、構造物の開口部に配置されるドア枠が設けられている形態が例示される。ドア枠は、ドア上面に対向するドア上枠と、ドア下面に対向するドア下枠と、ドア側面に対向するドア側枠とを備えている形態が例示される。ドア側枠にシール材料を基材とするシール部材が設けられており、ドア上枠およびドア下枠にはシール部材が設けられていない形態が例示される。この場合、ドアの閉鎖時においてシール部材からドア本体へ作用する反力が軽減される。故にドア本体の反りが低減される。
【実施例１】
【００２９】
以下、本発明を具体化した実施例１について図１〜図６を参照して具体的に説明する。本実施例は、回動して開閉させる方式のドア１に適用したものである。図１は、ドア１の厚み方向に沿って切断した断面図を模式的に示す。図２（Ａ）はドア１をドア枠３に取り付けた状態を模式的に示す。図２（Ｂ）はドア１を外した状態のドア枠３を模式的に示す。なお、各図は概念図であり、細部構造の寸法などまで規定するものではない。
【００３０】
図２（Ａ）（Ｂ）に示すように、家屋や集合住宅等の構造物２において人が出入りする開口部２０には、ドア枠３が設けられている。ドア枠３は、構造物２の開口部２０の上側において横方向に延設されたドア上枠３１と、開口部２０の下側において横方向に延設されたドア下枠３２と、ドア上枠３１およびドア下枠３２を繋ぐ縦方向に延設された互いに対向する２個のドア側枠３３とを有する。
【００３１】
図２（Ａ）に示すように、ドア１はドア枠３に取り付けられている。ドア本体１０は正面視で縦長の四角形状をなしている。ドア１の主体をなすドア本体１０は、ドア枠３のドア上枠３１に対面するドア上面１１と、ドア枠３のドア下枠３２に対面するドア下面１２と、互いに対向する２個のドア側面１３とをもつ。ドア１はヒンジ部３６によりドア枠３のドア側枠３３に回動開閉可能に取り付けられている。ヒンジ部３６がドア１の回動中心となる。ドア側枠３３には、軟質のシール材料を基材とする縦長のシール部材３５（ハッチングで示す部分）が接着等により設けられている。シール部材３５はドア１に密着して遮音性および遮光性を高める。
【００３２】
ドア上枠３１およびドア下枠３２にはシール部材３５が設けられていない。その理由としては、後述するように、ドア本体１０のうち、ドア上枠３１に対面するドア上面１１側のシール性を高める上側隙間閉鎖手段４が設けられ、ドア下枠３２に対面するドア下面１２側のシール性を高める下側隙間閉鎖手段５が設けられているためである。
【００３３】
図１に示すようにドア１の主体をなすドア本体１０は、ドア上面１１およびドア下面１２の他に、第１空間１４ｘに対面する第１ドア表面１４と、第２空間１５ｘに対面する第２ドア表面１５とをもつ。図１に示すように、ドア１のドア上面１１とドア枠３のドア上枠３１との間には、隙間量ΔＥ１をもつ上側隙間９１が形成されている。ドア１のドア下面１２とドア枠３のドア下枠３２との間には、隙間量ΔＥ２をもつ下側隙間９２が形成されている。上側隙間９１および下側隙間９２が形成されているため、ドア１を開閉させるときの抵抗が低減されている。
【００３４】
図１に示すように、上側隙間閉鎖手段４は、ドア本体１０のドア上面１１側（ドア本体１０における仮想線Ｗａで示す上部側）に設けられている。上側隙間閉鎖手段４は、ドア上面１１よりも上方（矢印Ｕ１方向）に向けて移動可能に設けられた上側遮音部材４０と、上側遮音部材４０をドア上面１１よりも上方（矢印Ｕ１方向）に向けて移動させる上側作動部４５とをもつ。ドア本体１０の厚み方向（図１に示す矢印Ｔ方向）において、上側隙間閉鎖手段４はドア本体１０の中央域に配置されている。つまり、上側隙間閉鎖手段４の中心線ＭＵは、ドア本体１０の厚み方向の中心線に合致または実質的に合致している。
【００３５】
図４に示すように、上側作動部４５は、ドア上面１１側に配置され、上側収容室４１ｒをもつ上側ケース４１と、ドア１が開放されるに伴い上側隙間９１を形成する方向に上側遮音部材４０を付勢する上側バネ部材４２と、ドア１が閉鎖されるに伴い上側隙間９１を低減または閉鎖させる方向（矢印Ｕ１方向）に上側遮音部材４０を作動させる上側作動体４３とを備えている。上側ケース４１は金属または硬質樹脂等の硬質材料で形成されており、ドア本体１０のドア上面１１側に沿って配置されており、ドア上面１１側を補強できる。図５に示すように、上側遮音部材４０は、上側ケース４１の収容室４１ｒに保持された金属または硬質樹脂等の硬質材料で形成された上側硬質部材４０１と、上側ケース４１の収容室４１ｒに上側硬質部材４０１に上向きに保持されたゴムまたは樹脂等の軟質材料で形成された上側軟質部材４０２とで形成されている。なお、上側軟質部材４０２は、ドア枠３のドア上枠３１への弾性変形性、密着シール性を高めるべく、中空室４０３を有する。
【００３６】
図４に示すように、上側バネ部材４２は、複数の曲成部４２ｍを並設状態に有するように蛇行状に曲成された板バネで形成されており、上側ケース４１の収容室４１ｒの延設方向に沿って、つまりドア上面１１に沿って延設されている。曲成部４２ｍには付設部４２ｋが複数個取り付けられている。上側作動体４３は、上側ケース４１の収容室４１ｒの端部において矢印Ｓ１，Ｓ２方向（ドア本体１０のドア上面１１に沿った方向）に移動可能に設けられている。ここで、上側バネ部材４２の先端部４２ａと上側作動体４３とが接触係合していると共に、上側作動体４３の突起状の上側操作子４６がドア本体１０のドア側面１３よりも外方に突出するように設けられている。
【００３７】
ドア１が開放されているときには、図３および図４に示すように、上側作動体４３の上側操作子４６が上側バネ部材４２の付勢力によりドア本体１０のドア側面１３よりも外方に向けて、つまり露出方向（矢印Ｐ２方向）に突出している。これに対して、ドア１が閉鎖されるときには、ドア枠３のドア側枠３３により上側作動体４３の上側操作子４６が退避方向（矢印Ｐ１方向）に押圧されて退避される。すると、上側作動体４３が退避方向（矢印Ｓ１方向）に移動し、ひいては上側バネ部材４２の曲成部４２ｍが直状となるように弾性変形される。この結果、図５に一点鎖線で示すように、上側バネ部材４２は上側硬質部材４０１および上側軟質部材４０２を上方（矢印Ｕ１方向）に移動させる。これにより上側軟質部材４０２がドア枠３のドア上枠３１に圧接し、ドア上面１１における上側隙間９１が閉鎖し、ドア上面１１における遮音性および遮光性が確保される。なお、上側隙間閉鎖手段４を構成する上側軟質部材４０２の上方への変位可能量Ｋ１は、上側隙間９１の隙間量ΔＥ１よりも大きく設定されている。
【００３８】
ドア１の開放初期においては、図３に示すように、ドア枠３のドア側枠３３から上側作動体４３の上側操作子４６が露出方向（矢印Ｐ２方向）に突出する。このため、上側作動体４３が上側バネ部材４２を拘束する程度が低減され、上側バネ部材４２の付勢力により上側操作子４６がドア本体１０のドア側面１３よりも外方に突出する。つまり、上側操作子４６は露出方向（矢印Ｐ２方向）に突出する。更に、上記したように上側バネ部材４２の曲成部４２ｍが元の形状に復元されるため、上側バネ部材４２は上側硬質部材４０１および上側軟質部材４０２を下方（矢印Ｕ２方向）に移動させ、上側軟質部材４０２はドア上枠３１から離間する。これによりドア上面１１とドア枠３のドア上枠３１との間に上側隙間９１が形成される。このためドア１を開放させる抵抗が低減される。
【００３９】
本実施例によれば、図１に示すように、下側隙間閉鎖手段５は、ドア本体１０のドア下面１２側に設けられている。下側隙間閉鎖手段５は、上側隙間閉鎖手段４と同一の機構を備えており、上下を逆にしたものである。下側隙間閉鎖手段５はドア本体１０の厚み方向の中央域に配置されている。従って下側隙間閉鎖手段５の中心線ＭＤは、ドア本体１０の厚み方向の中心線に合致または実質的に合致している。下側隙間閉鎖手段５は、ドア下面１２よりも下方（矢印Ｄ１方向）に向けて移動可能に設けられた下側遮音部材５０と、下側遮音部材５０をドア下面１２よりも下方（矢印Ｄ１方向）に向けて移動させる下側作動部５５とをもつ。
【００４０】
図４に示すように、下側作動部５５は、ドア下面１２側に配置され下側収容室５１ｒをもつ下側ケース５１と、ドア１が開放されるに伴い下側隙間９２を形成する方向に下側遮音部材５０を付勢する下側バネ部材５２と、ドア１が閉鎖されるに伴い下側隙間９２を閉鎖させる方向（矢印Ｄ１方向）に下側遮音部材５０を作動させる下側作動体５３とを備えている。下側ケース５１は金属または硬質樹脂等の硬質材料で形成されており、ドア本体１０のドア下面１２側に沿って配置されており、ドア下面１２側を補強できる。図６に示すように、下側遮音部材５０は、下側ケース５１の収容室５１ｒに保持された金属または硬質樹脂等の硬質材料で形成された下側硬質部材５０１と、下側ケース５１の収容室５１ｒに下側硬質部材５０１に下向きに保持されたゴムまたは樹脂等の軟質材料で形成された下側軟質部材５０２とで形成されている。なお、下側軟質部材５０２は、ドア枠３のドア下枠３２への弾性変形性、密着シール性を高めるべく、中空室５０３を有する。
【００４１】
図４に示すように、下側バネ部材５２は、複数の曲成部５２ｍを並設状態に有するように蛇行状に曲成された板バネで形成されており、下側ケース５１の収容室５１ｒの延設方向に沿って、つまりドア下面１２に沿って延設されている。曲成部５２ｍには付設部５２ｋが取り付けられている。
【００４２】
下側作動体５３は、下側ケース５１の収容室５１ｒの端部において矢印Ｓ１方向（退避方向），矢印Ｓ２方向（露出方向）に移動可能に設けられている。ここで、下側バネ部材５２の先端部５２ａと下側作動体５３とが接触係合していると共に、下側作動体５３の突起状の操作子５６がドア本体１０のドア側面１３よりも外方に突出するように設けられている。
【００４３】
ドア１の開放初期においては、図３および図４に示すように、下側作動体５３の下側操作子５６が下側バネ部材５２の付勢力によりドア本体１０のドア側面１３よりも外方（矢印Ｐ２方向）に突出している。これに対してドア１が閉鎖されるときには、ドア枠３のドア側枠３３により下側作動体５３の下側操作子５６が退避方向（矢印Ｐ１方向）に押圧される。すると、下側作動体５３が退避方向（矢印Ｓ１方向）に移動し、ひいては下側バネ部材５２の曲成部５２ｍが直状となるように弾性変形される。この結果、図６に一点鎖線で示すように、下側バネ部材５２は下側硬質部材５０１および下側軟質部材５０２を下方（隙間閉鎖方向、矢印Ｄ１方向）に移動させる。これにより下側軟質部材５０２がドア枠３のドア下枠３２に圧接し、下側隙間９２が閉鎖する。これによりドア下面１２における遮音性が確保される。なお、下側隙間閉鎖手段５を構成する下側軟質部材５０２の下方への変位可能量Ｋ２は、下側隙間９２の隙間量ΔＥ２よりも大きく設定されている。
【００４４】
ドア１が開放されるときには、下側バネ部材５２の曲成部５２ｍが元の形状に復元しようとする。このため、図３に示すように、下側作動体５３の下側操作子５６が下側バネ部材５２の付勢力によりドア本体１０のドア側面１３よりも外方に突出する。つまり、下側操作子５６はドア側面１３よりも矢印Ｐ２方向に露出する。更に、下側バネ部材５２の曲成部５２ｍが元の形状に復元されるため、下側バネ部材５２は下側硬質部材５０１および下側軟質部材５０２を上方（矢印Ｄ２方向）に移動させる。これにより下側軟質部材５０２がドア下枠３２から離れ、ドア下面１２とドア枠３のドア下枠３２との間に下側隙間９２が形成される。このためドア１を開放させる抵抗が低減される。
【００４５】
更に本実施例によれば、図１（ドア本体１０の厚み方向に沿った断面）に示すように、ドア上面１１においては、上側遮音部材４０よりも第１ドア表面１４側に第１上面開口６１が上向きに形成されていると共に、上側遮音部材４０よりも第２ドア表面１５側に第２上面開口６２が上向きに形成されている。更に、第１上面開口６１および第２上面開口６２を連通させる上側連通路６３がドア本体１０の内部に形成されている。上側連通路６３により、第１空間１４ｘと第２空間１５ｘとを連通させる。なお、図１に示すように、第１上面開口６１、第２上面開口６２および上側連通路６３は、断面でほぼ凹形状をなしている。
【００４６】
ドア１が閉鎖されているとき、ドア１は第１空間１４ｘと第２空間１５ｘとを仕切る。ここで、ドア上面１１において第１上面開口６１および第２上面開口６２が形成されているため、通常の状態では、使用者は、第１上面開口６１および第２上面開口６２の存在を視認することができない。故に、ドア１が閉鎖されているときであっても、使用者に通気孔の存在を認識させずとも、第１空間１４ｘと第２空間１５ｘとを連通させる通気性（図１において矢印Ｘ１方向の通気性）が確保される。更に通気性を確保しつつ遮光性も確保される。
【００４７】
さらに図１において、ドア下面１２において、下側遮音部材５０よりも第１ドア表面１４側には第１下面開口７１が下向きに形成されていると共に、下側遮音部材５０よりも第２ドア表面１５側に第２下面開口７２が下向きに形成されている。更に第１下面開口７１および第２下面開口７２を連通させる下側連通路７３がドア本体１０の内部に形成されている。これにより第１空間１４ｘと第２空間１５ｘとを連通させる。なお、図１に示すように、第１下面開口７１、第２下面開口７２および下側連通路７３は、断面で上下を逆にしたほぼ凹形状をなしている。
【００４８】
この場合、ドア本体１０のドア下面１２において第１下面開口７１および第２下面開口７２が形成されているため、通常の状態では、使用者は、第１下面開口７１および第２下面開口７２の存在を視認することができない。故に、使用者に通気孔の存在を認識させずとも、第１空間１４ｘと第２空間１５ｘとを連通させる通気性（図１において矢印Ｘ２方向の通気性）が確保される。更に通気性を確保しつつ遮光性も確保される。
【００４９】
更に、図１に示すように、上側連通路６３は、貫通孔６５ａをもつ上側仕切部材６５で仕切られている。下側連通路７３は、貫通孔７５ａをもつ下側仕切部材７５で仕切られている。内部連通路６４がドア本体１０の内部に設けられている。内部連通路６４は貫通孔６５ａ、７５ａを介して上側連通路６３および下側連通路７３をドア本体１０の内部において互いに連通させている。この場合、第１空間１４ｘと第２空間１５ｘとを連通させる通気性が一層確保され易い。
【００５０】
ところで、使用条件によっては、第１空間１４ｘと第２空間１５ｘとの間に大きな温度差または湿度差がかなり存在するときがある。この場合、第１ドア表面１４および第２ドア表面１５における温度差または湿度差に起因して、ドア本体１０に反りが発生するおそれがある。このような場合であっても、内部連通路６４には第１空間１４ｘおよび第２空間１５ｘの雰囲気が進入する。故に、内部連通路６４の内部は、第１空間１４ｘと第２空間１５ｘとの中間の温度または湿度となり易い。この場合、ドア本体１０における急激な温度差または湿度差が軽減されるので、ドア本体１０の反りが低減される利点が得られる。
【００５１】
以上説明したように本実施例によれば、ドア本体１０のドア上面１１側には、ドア本体１０の閉鎖時にドア上面１１よりも上方の上側隙間９１を閉鎖させる上側隙間閉鎖手段４が設けられている。更に、ドア本体１０のドア下面１２側には、ドア本体１０の閉鎖時にドア下面１２よりも下方の下側隙間９２を閉鎖させる下側隙間閉鎖手段５が設けられている。この結果、ドア１の閉鎖時には、上側隙間閉鎖手段４を構成する上側軟質部材４０２がドア枠３のドア上枠３１に圧接し、上側隙間９１が閉鎖され、ドア上面１１における遮音性および遮光性が確保される。同時に、下側隙間閉鎖手段５を構成する下側軟質部材５０２がドア枠３のドア下枠３２に圧接し、下側隙間９２が閉鎖され、ドア下面１２における遮音性および遮光性が確保される。この結果、ドア１の閉鎖時において、第１空間１４ｘと第２空間１５ｘとの間における音の伝播および光の伝播が抑えられ、遮音性および遮光性の高いドア１を提供することができる。
【００５２】
このようにドア１の閉鎖時において、ドア１の遮音性を高めつつも、ドア１で仕切られた第１空間１４ｘと第２空間１５ｘとの間における通気性が確保される。すなわち、第１上面開口６１、第２上面開口６２および上側連通路６３により、ドア本体１０のドア上面１１側の通気性が確保される。更に、第１下面開口７１、第２下面開口７２および下側連通路７３により、ドア本体１０のドア下面１２側の通気性が確保される。
【００５３】
しかも第１上面開口６１、第２上面開口６２、第１下面開口７１、第２下面開口７２は使用者から視認できないため、使用者に通気孔の存在を認識させない。更に図１に示すように、第１ドア表面１４および第２ドア表面１５に通気孔の開口が形成されていなため、第１ドア表面１４および第２ドア表面１５における意匠を選択する自由度を拡大させることができる。
【００５４】
更に、ドア本体１０のドア上面１１側に上側隙間閉鎖手段４を設けることで、ドア本体１０の上部の強度が高められ、ドア本体１０の上部の反りが低減される。また、ドア本体１０のドア下面１２側に下側隙間閉鎖手段５を設けることで、ドア本体１０の下部の強度が高められ、ドア本体１０の下部の反りが低減される。これによりドア本体１０全体の反りが抑制される。このため、後述する図１３（Ａ）（Ｂ）に示す比較例とは異なり、ドアを開放または閉鎖するにあたり、ドア本体１０の下部のガタを抑制できる他に、ドア本体１０の上部のガタツキを抑制できる。その結果、ドア開閉頻度が高いときであっても、ドア本体１０のヒンジ部３６に作用する負荷を軽減させることができ、ヒンジ部３６の耐久性の向上を図り得る。
【００５５】
ところで、室内のリフォームなどのときには、ドア１をドア枠３から外したり、交換したりすることがある。この場合、ドア１を構造物２に取り付けるとき、ドア本体１０の上側隙間９１の隙間幅ΔＥ１の大きさが変動したり、下側隙間９２の隙間幅ΔＥ２の大きさが変動したりするおそれがある。この点本実施例によれば、ドア本体１０のドア上面１１側に上側隙間閉鎖手段４が設けられていると共に、ドア本体１０のドア下面１２側に下側隙間閉鎖手段５が設けられている。ここで、上側隙間閉鎖手段４による変位可能量Ｋ１は上側隙間９１よりも大きく設定されており、且つ、下側隙間閉鎖手段５による変位可能量Ｋ２は下側隙間９２よりも大きく設定されている。このため、ドア枠３に対するドア１の位置が高さ方向において多少変動したとしても、上側隙間９１および下側隙間９２に対する閉鎖性が確保され、上側隙間閉鎖手段４および下側隙間閉鎖手段５による遮音性および遮光性が良好に確保される。このように本実施例のドア１はリフォームに適する。
【００５６】
図１３（Ａ）（Ｂ）は比較例を示す。この比較例では、ドア本体１０のドア下面１２側には下側隙間閉鎖手段５が設けられているものの、ドア本体１０のドア上面１１側には上側隙間閉鎖手段４が設けられていない。このため比較例では、図１３（Ｂ）に示すようにドア枠３のドア側枠３３にシール部材３５ｓが接着等により設けられているほかに、ドア上枠３１についてもシール部材３５ｕが接着等により設けられている。シール部材３５ｕにより上側隙間９１の遮音性および遮光性を確保するためである。この場合、ドア１の閉鎖時において、ドア１は、シール部材３５ｓおよびシール部材３５ｕをドア１の厚み方向へ圧縮させつつ弾性変形させ、シール部材３５ｓおよびシール部材３５ｕに密着する。この場合、シール部材３５ｓおよびシール部材３５ｕの交差部分３５ｘからドア１へ作用する反力が増加し易い。場合によっては、反力に起因してドア１に反りを発生させる要因となることがある。
【００５７】
この点本実施例によれば、上側隙間閉鎖手段４の上側遮音部材４０がドア１の面方向に沿って上方に移動することで、ドア上面１１側の遮音性および遮光性が確保されると共に、下側隙間閉鎖手段５の下側遮音部材５０がドア１の面方向に沿って下方に移動することで、ドア下面１２側の遮音性および遮光性が確保される。このため、図２（Ｂ）に示すように、ドア枠３の２つのドア側枠３３には、軟質のシール材料を基材とする縦長のシール部材３５が接着等により設けられているものの、ドア上枠３１についてはシール部材３５が廃止されている。この結果、前記した比較例とは異なり、シール部材３５ｓおよびシール部材３５ｕの交差部分３５ｘを廃止でき、シール部材３５からドア１へ作用する反力をできるだけ小さくできる利点が得られ、故に、ドア１の反りを抑制することができる。このためドア開閉頻度が高いときであっても、ドア本体１０のヒンジ部３６に作用する負荷を軽減させることができ、ヒンジ部３６の耐久性の向上を図り得る。
【００５８】
なお、本実施例によれば、構造物２にドア枠３が設けられているが、ドア枠３が設けられていない形態に適用しても良い。この場合、ドア枠３は構造物２の壁部に相当する。従って、前記したドア上枠３１は構造物２の開口部２０の天井面に相当する。前記したドア下枠３２は構造物２の開口部２０の床面に相当する。
【実施例２】
【００５９】
図７は本発明を具体化した実施例２を示す。本実施例は実施例１と基本的には同様の構成、作用効果を有する。共通する部位に共通の符号を付する。図７に示すように、上側遮音部材４０においては、ゴムまたは樹脂等の軟質材料で形成された上側軟質部材４０２の内部には、多孔質体４０４が埋設されている。これにより上側軟質部材４０２の反力および耐へたり性が高められると共に、遮音性も高められる。図示しないものの、下側遮音部材５０も同様な構造とされている。
【実施例３】
【００６０】
図８は本発明を具体化した実施例３を示す。本実施例は実施例１と基本的には同様の構成、作用効果を有する。共通する部位に共通の符号を付する。図８に示すように、下側遮音部材５０においては、下側軟質部材５０２は中実体とされている。これにより下側軟質部材５０２の反力および耐へたり性が高められている。図示しないものの、上側遮音部材４０も同様な構造とされている。
【実施例４】
【００６１】
図９は本発明を具体化した実施例４を示す。本実施例は実施例１と基本的には同様の構成、作用効果を有する。共通する部位に共通の符号を付する。以下、異なる部分を中心として説明する。ドア本体１０のドア上面１１側には、ドア本体１０の閉鎖時にドア上面１１よりも上方の上側隙間９１を閉鎖させる上側隙間閉鎖手段４が設けられている。更に、ドア本体１０のドア下面１２側には、ドア本体１０の閉鎖時にドア下面１２よりも下方の下側隙間９２を閉鎖させる下側隙間閉鎖手段５が設けられている。この結果、ドア１の閉鎖時には、上側隙間９１および下側隙間９２が閉鎖し、ドア上面１１およびドア下面１２側における遮音性が確保される。この結果、第１空間１４ｘと第２空間１５ｘとの間における音の伝播が抑えられ、遮音性および遮光性の高いドア１を提供することができる。
【００６２】
図９は、ドア本体１０の厚み方向に沿った断面を示す。ドア本体１０のドア上面１１側において、ドア本体１０の第１ドア表面１４において形成された第１表面開口１６ｕと、ドア上面１１において上側遮音部材４０よりも第２ドア表面１５側に形成された第２上面開口６２と、第１表面開口１６ｕおよび第２上面開口６２を連通させる上側連通路６３とが形成されている。
【００６３】
ドア本体１０のドア下面１２側においても、ドア本体１０の第１ドア表面１４において形成された第１表面開口１６ｄと、ドア下面１２において下側遮音部材５０よりも第２ドア表面１５側に形成された第２下面開口７２と、第１表面開口１６ｄおよび第２下面開口７２を連通させる下側連通路７３とが形成されている。この結果、ドア１が閉鎖されるときにおいても、第１ドア表面１４が対面する第１空間１４ｘと、第２ドア表面１５が対面する第２空間１５ｘとを連通させて通気性が確保されている。なお図９に示すように、第１表面開口１６ｕおよび第１表面開口１６ｄには、意匠性を高めるための意匠体１８が取り付けられている。第１表面開口１６ｕおよび第１表面開口１６ｄは第１ドア表面１４に形成されているものの、第２ドア表面１５には形成されていない。従ってドア本体１０の第２ドア表面１５の意匠を設定するにあたり、意匠選択の自由度を拡大することができる。
【００６４】
本実施例によれば、図９に示すように、上側隙間閉鎖手段４の中心線ＭＵは、ドア本体１０の厚み方向の中心線ＭＣよりも第１ドア表面１４側に偏芯している。このため第２ドア表面１５側に寄せて第２上面開口６２を形成することができる。同様に下側隙間閉鎖手段５の中心線ＭＤは、ドア本体１０の厚み方向の中心線ＭＣよりも第１ドア表面１４側に偏芯している。このため第２ドア表面１５側に寄せて第２下面開口７２を形成することができる。
【００６５】
なお、下側連通路７３および上側連通路６３はドア本体１０の内装部１０ｐにより直接的には連通していない構造とされているが、これに限らず、図示しないものの内部連通路をドア本体１０の内部に形成し、下側連通路７３および上側連通路６３を直接的に連通させても良い。
【実施例５】
【００６６】
図１０は本発明を具体化した実施例５を示す。本実施例は実施例１と基本的には同様の構成、作用効果を有する。共通する部位に共通の符号を付する。以下、異なる部分を中心として説明する。ドア本体１０のドア上面１１側には、ドア本体１０の閉鎖時にドア上面１１よりも上方の上側隙間９１を閉鎖させる上側隙間閉鎖手段４が設けられている。更に、ドア本体１０のドア下面１２側には、ドア本体１０の閉鎖時にドア下面１２よりも下方の下側隙間９２を閉鎖させる下側隙間閉鎖手段５が設けられている。この結果、ドア１の閉鎖時には、ドア本体１０の上側隙間９１および下側隙間９２が閉鎖し、ドア上面１１およびドア下面１２側における遮音性が確保される。この結果、第１空間１４ｘと第２空間１５ｘとの間における音の伝播が抑えられ、遮音性および遮光性の高いドア１を提供することができる。
【００６７】
図１０はドア本体１０の厚み方向に沿った断面を示す。ドア本体１０のドア上面１１側において、ドア本体１０の第２ドア表面１５において形成された第２表面開口１７ｕと、ドア上面１１において上側遮音部材４０よりも第１ドア表面１４側に形成された第１上面開口６１と、第２表面開口１７ｕおよび第１上面開口６１を連通させる上側連通路６３とが形成されている。
【００６８】
図１０に示すように、ドア本体１０のドア下面１２側においても、ドア本体１０の第２ドア表面１５において形成された第２表面開口１７ｄと、ドア下面１２において下側遮音部材５０よりも第１ドア表面１４側に形成された第１下面開口７１と、第２表面開口１７ｄおよび第１下面開口７１を連通させる下側連通路７３とが形成されている。この結果、ドア１が閉鎖されているときにおいても、第１ドア表面１４が対面する第１空間１４ｘと、第２ドア表面１５が対面する第２空間１５ｘとを連通させて、通気性が確保されている。図１０に示すように、第２表面開口１７ｕおよび第２表面開口１７ｄには、意匠性を高めるための意匠体１８が取り付けられている。第２表面開口１７ｕおよび第２表面開口１７ｄは第２ドア表面１５に形成されているものの、第１ドア表面１４には形成されていない。従ってドア本体１０の第１ドア表面１４の意匠を設定するにあたり、意匠選択の自由度を拡大することができる。
【００６９】
本実施例によれば、図１０に示すように、上側隙間閉鎖手段４の中心線ＭＵは、ドア本体１０の厚み方向においてドア本体１０の中心線ＭＣよりも第２ドア表面１５側に偏芯している。このため第１ドア表面１４側に寄せて第１上面開口６１を形成することができる。同様に、下側隙間閉鎖手段５の中心線ＭＤは、ドア本体１０の厚み方向の中心線ＭＣよりも第２ドア表面１５側に偏芯している。このため第１ドア表面１４側に寄せて第１下面開口７１を形成することができる。
【００７０】
なお、下側連通路７３および上側連通路６３は内装部１０ｐにより直接的には連通していない構造とされているが、これに限らず、内部連通路６４をドア本体１０の内部に形成し、下側連通路７３および上側連通路６３を直接的に連通させても良い。
【実施例６】
【００７１】
図１１（Ａ）は実施例６を示す。本実施例は実施例１と基本的には同様の構成、作用効果を有する。共通する部位には共通の符号を付する。以下、異なる部分を中心として説明する。図１１（Ａ）に示すように、上側隙間閉鎖手段４はドア本体１０の厚み方向の中心域に配置されている。同様に、下側隙間閉鎖手段５はドア本体１０の厚み方向の中心域に配置されている。図１１（Ａ）に示すように、内部連通路６４は下側連通路７３および上側連通路６３をドア本体１０の内部において互いに連通させている。この場合、ドア１が閉鎖されているときにおいても、第１空間１４ｘと第２空間１５ｘとを連通させる通気性が確保され易い。更に、第１空間１４ｘと第２空間１５ｘとの間に大きな温度差または湿度差がかなり存在するときであっても、ドア本体１０の反りが低減される利点が得られる。更に、図１１（Ａ）に示すように、ドア本体１０の第２ドア表面１５のうち上部側には、通気孔面積を増加させて通気性を更に高めるために第２表面開口１７ｕが形成されている。第２表面開口１７ｕには意匠体１８が取り付けられている。
【実施例７】
【００７２】
図１１（Ｂ）は実施例７を示す。本実施例は実施例１と基本的には同様の構成、作用効果を有する。共通する部位には共通の符号を付する。以下、異なる部分を中心として説明する。図１１（Ｂ）に示すように、上側隙間閉鎖手段４はドア本体１０の厚み方向の中心域に配置されている。同様に下側隙間閉鎖手段５はドア本体１０の厚み方向の中心域に配置されている。図１１（Ｂ）に示すように、内部連通路６４は下側連通路７３および上側連通路６３をドア本体１０の内部において互いに連通させている。この場合、第１空間１４ｘと第２空間１５ｘとを連通させる通気性が確保され易い。ドア本体１０の第１ドア表面１４のうち下部側には、通気孔面積を増加させて通気性を更に高めるために、第１表面開口１６ｄが形成されている。第１表面開口１６ｄには意匠体１８が取り付けられている。
【実施例８】
【００７３】
図１２は実施例８を示す。本実施例は実施例１と基本的には同様の構成、作用効果を有する。共通する部位には共通の符号を付する。以下、異なる部分を中心として説明する。下側隙間閉鎖手段５Ｅは、ドア本体１０のドア下面１２側に設けられている。下側隙間閉鎖手段５Ｅは、ドア下面１２よりも下方（隙間閉鎖方向、矢印Ｄ１方向）に向けて移動可能に設けられた下側遮音部材５０Ｅと、下側遮音部材５０Ｅをドア下面１２よりも下方（矢印Ｄ１方向）に向けて移動させる下側作動部５５Ｅとをもつ。
【００７４】
図１２に示すように、下側遮音部材５０Ｅは、金属または硬質樹脂等の硬質材料で形成された下側硬質部材５０１Ｅと、下側硬質部材５０１Ｅに下向きに保持されたゴムまたは樹脂等の軟質材料で形成された下側軟質部材５０２Ｅと、下側硬質部材５０１Ｅに設けられた軸部５０５と、下側硬質部材５０１Ｅに設けられた受圧部５０６とを備えている。
【００７５】
下側作動部５５Ｅは、軸部５０５に保持されたコイル状の下側バネ部材５２Ｅと、下側隙間９２を閉鎖させる方向に下側遮音部材５０Ｅを下方（矢印Ｄ１方向）に作動させる下側作動体５３Ｅと、下側作動体５３Ｅの傾斜面５０７と受圧部５０６との間に設けられた球状の係合体５０９とを備えている。下側バネ部材５２Ｅは、下側隙間９２を形成する方向に下側遮音部材５０Ｅを上方（矢印Ｄ２方向）に持ち上げる。
【００７６】
ドア１が閉鎖されると、下側作動体５３Ｅが図略のドア枠に押圧されて退避方向（矢印Ｐ１方向）に移動するため、係合体５０９を介して受圧部５０６が下方（矢印Ｄ１方向）に移動し、下側軟質部材５０２Ｅをドア枠３のドア下枠３２に圧接させ、下側隙間９２を閉鎖する。これによりドア下面１２側における遮音性および遮光性を確保する。ドア１が開放すると、下側作動体５３Ｅがこれに付設されているバネ５１０Ｅの付勢力により露出方向（矢印Ｐ２方向）に移動する。このため下側バネ部材５２Ｅは、下側遮音部材５０Ｅを上方（矢印Ｄ２方向）に持ち上げる。
【００７７】
なお、図示はしないものの、上側隙間閉鎖手段も下側隙間閉鎖手段５Ｅと同様の構成とされている。そのほか、本発明は上記し且つ図面に示した実施例のみに限定されるものではなく、要旨を逸脱しない範囲内で適宜変更して実施できるものである。
【産業上の利用可能性】
【００７８】
本発明はトイレ室、勉強部屋、寝室、客室、居間、業務室、オーディオ室、コンピュータ室等といった遮音性が特に要請される室に取り付けられるドアに利用することができる。
【図面の簡単な説明】
【００７９】
【図１】実施例１に係り、ドアの厚み方向に沿って切断して状態を模式的に示す断面図である。
【図２】実施例１に係り、（Ａ）はドア枠にドアを取り付けた状態を模式的に示す正面図であり、（Ｂ）はドア枠にシール部材が設けられている状態を模式的に示す正面図である。
【図３】実施例１に係り、ドアの開放初期状態を模式的に示し、ドアの上側（下側）付近をドア肉厚方向に沿って切断した断面図である。
【図４】実施例１に係り、ドア本体に上側隙間閉鎖手段および下側隙間閉鎖手段を搭載した状態を模式的に示す構成図である。
【図５】実施例１に係り、ドア本体のドア上面側に設けた上側隙間閉鎖手段の内部を模式的に示す断面図である。
【図６】実施例１に係り、ドア本体のドア下面側に設けた下側隙間閉鎖手段の内部を模式的に示す断面図である。
【図７】実施例２に係り、ドア本体のドア上面側に設けた上側隙間閉鎖手段の内部を模式的に示す断面図である。
【図８】実施例３に係り、ドア本体のドア下面側に設けた下側隙間閉鎖手段の内部を模式的に示す断面図である。
【図９】実施例４に係り、ドアの厚み方向に沿って切断して状態を模式的に示す断面図である。
【図１０】実施例５に係り、ドアの厚み方向に沿って切断して状態を模式的に示す断面図である。
【図１１】（Ａ）は実施例６に係り、ドアの厚み方向に沿って切断して状態を模式的に示す断面図であり、（Ｂ）は実施例７に係り、ドアの厚み方向に沿って切断した状態を模式的に示す断面図である。
【図１２】実施例８に係り、ドア本体のドア下面側に設けた下側隙間閉鎖手段を模式的に示す断面図である。
【図１３】比較例に係り、（Ａ）はドア枠にドアを取り付けた状態を示す正面図であり、（Ｂ）はシール部材が設けられたドア枠を示す正面図である。
【符号の説明】
【００８０】
１はドア、１０はドア本体、１１はドア上面、１２はドア下面、１３はドア側面、１４は第１ドア表面、１４ｘは第１空間、１５ｘは第２空間、１５は第２ドア表面、１６は第１表面開口、１７は第２表面開口、２は構造物、２０は開口部、３はドア枠、３１はドア上枠、３２はドア下枠、３３はドア側枠、３５はシール部材、４は上側隙間閉鎖手段、４０は上側遮音部材、４２は上側バネ部材、４３は上側作動体、４５は上側作動部、５は下側隙間閉鎖手段、５０は下側遮音部材、５２は下側バネ部材、５３は下側作動体、５５は下側作動部、６１は第１上面開口、６２は第２上面開口、６３は上側連通路、７１は第１下面開口、７２は第２下面開口、７３は下側連通路、９１は上側隙間、９２は下側隙間を示す。
【図１】
2007314993.tif 000003
【図２】
2007314993.tif 000004
【図３】
2007314993.tif 000005
【図４】
2007314993.tif 000006
【図５】
2007314993.tif 000007
【図６】
2007314993.tif 000008
【図７】
2007314993.tif 000009
【図８】
2007314993.tif 000010
【図９】
2007314993.tif 000011
【図１０】
2007314993.tif 000012
【図１１】
2007314993.tif 000013
【図１２】
2007314993.tif 000014
【図１３】
2007314993.tif 000015